(57)【特許請求の範囲】
【請求項１】
端部終端同士を合わせて固定する接合固定塊（１Ａ２）を有するループコード（１Ａ）と、
前記接合固定塊と端部終端を成形金型にインサートして一体成形した前記接合固定塊よりも大きい径の止め球（１Ｂ）と、からなる工具吊り下げ用連結装置。
【発明の詳細な説明】
【技術分野】
【０００１】
本発明は、ナットの締め付けあるいは弛めるために用いられるレンチやその他の工具を作業者の人体に吊り下げる際に用いる工具吊り下げ用連結装置に関する。
【背景技術】
【０００２】
ナットの締め付けや締め付け解除の際に用いられる工具の一つであるレンチは、その使用箇所がいろいろであるが、例えば高所での作業にも用いられる。
高所作業を行う場合には、持参した工具の落下を防止するために工具を作業者のベルトなどに吊り下げたり、あるいは収納袋をベルトに吊り下げてその袋の中に工具を入れておくなどの処置が採られている。
収納袋に入れた場合には作業に際して袋から取り出すのに手間がかかるなどの不便がある。
【０００３】
そこで、工具を直接ベルトなどに吊り下げて作業の際の取り出し性を良くして作業性を改善するようにした連結装置が提案されている（例えば、特許文献１〜３）。
【０００４】
特許文献１には、工具としてドライバを対象とした場合、ドライバの軸部に嵌め込むことができるリングを一端に設け、他端にはベルト側に取り付けた工具ホルダーのリングに掛け止めできるループ部を設けたワイヤを作業者側と工具との連結に用いることが開示されている。
【０００５】
特許文献２には、工具としてレンチを対象とした場合、レンチの厚さ方向に貫通する部分に挿通されるネジ棒を長手方向一端に、そして長手方向他端にループ部を形成し、ネジ棒の一端に形成されたフランジ部とナットとによりレンチを挟み込むことでレンチ側とワイヤとを一体化し、ベルトに装着された吊り下げ部にループ部を掛け止めすることでレンチ側と作業者側とを連結するようにした構成が開示されている。
【０００６】
特許文献３には、ドライバを対象とした場合、ドライバの軸部に装着される接続部に形成された係止孔にベルト側の装着されている引き紐先端金具のフックを掛け止めることで作業者側とドライバとを連結する構成が開示されている。
【０００７】
【特許文献１】実開平６−７５６７２号公報
【特許文献２】特開２００６−２３１５０２号公報
【特許文献３】特開２００１−３２２０７５号公報
【発明の開示】
【発明が解決しようとする課題】
【０００８】
上記特許文献に開示されている連結装置は、いずれも連結のための構成が大がかりなものとなったり、連結操作性が悪いという問題がある。
【０００９】
特許文献１に開示の構成では、ドライバの軸部に挿嵌するためのリング部およびリングの抜け止めを行うためのゴム製のストッパ部材を必要とすることから連結のための部品点数が多くなる。
特許文献２に開示の構成では、ワイヤの一端にレンチの厚さ方向に貫通する部分に挿通されるネジ部は挿通するだけではなく、フランジとナットとによりレンチを挟み込む作業が必要となり、簡単な連結作業が行えない。
特許文献３に開示の構成では、ドライバのネジ棒に連結用の引き紐接続部材を新たに装着して初めて連結が行えることから特許文献１に開示の構成と同様に、ドライバ本来の機能以外の部品を必要とする。
【００１０】
本発明の目的は、上記従来の吊り下げ用連結装置における問題に鑑み、端部を抜け止め形状に接合したループコードとこれをインサートとして受け入れた状態で固定支持する止め玉のみで構成し、部品点数の増加や作業性の悪化を防止して作業者と工具とを連結することができる工具吊り下げ用連結装置を提供することにある。
【課題を解決するための手段】
【００１１】
この目的を達成するために、本発明は次の（１）（２）（３）の形態を含む。
（１）端部同士を合わせ固定した接合端を有する縒り線が用いられたループコードと、
前記接合端をインサート成形されて固定支持する、該接合端の抜け止め形状よりも大径の止め球とを備える。
【００１２】
（２）（１）記載の形態において、
前記端部同士を合わせ固定した接合端には接合固定塊が設けられループコードのインサートの抜け止め端を形成する。
（３）（２）記載の形態において、
前記抜け止め端の抜け止め形状である接合固定塊は溶接または半田付けにより、前記抜け止め端を異形または肥大化させたものである。
【００１３】
本発明のさらに他の実施形態として、次の形態が考えられる。
前記止め球が前記ループコードの接合端の長手方向に平行する長軸線を有する形状を有していることを特徴とする前記（１）〜（３）に記載の形態。
前記止め球が円柱または樽型の形状であることを特徴とする（１）〜（３）に記載の形態。
【００１４】
前記止め球から外側に位置するループコードにおいて該止め球近傍でループコードを構成する縒り線同士が互いに近接若しくは密着されていることを特徴とする（１）乃至（３）のいずれかに記載の形態。
【発明の効果】
【００１５】
本発明によれば、縒り線ループコードと、この端部同士が合わされた接合端をインサート成形することで固定支持するインサート成形による止め球とで連結装置が構成され、止め球を工具の隙間に挿入して抜け止め部とすることができるので、簡単な構成で、しかも、工具側への特別な加工を要しないで済む。工具側は工具の使い勝手、つり下げ勝手を考慮してループコードを挿入する小径の孔（コードの２本強）を予め準備しておけば、一層便利である。
【００１６】
しかも、ループコードにおける接合端近傍の止め玉からの延出部が互いに近接若しくは密着するようになっているので、ループコードが工具の回転軸として用いられることになるので、工具の回転を容易にし、これによって吊り下げられた工具の向きが自由に変えられる。これにより、作業者の腰などに当たっても工具が容易に逃げる方向に回転するので、工具の態勢が固定された場合と違って作業者への反撥を小さくすることができる。
【発明を実施するための最良の形態】
【００１７】
以下、図面により本発明を実施するための最良の形態について説明する。
図１は、工具としてナットの締結作業に用いられるトルクレンチの一つである、自在スパナＴを対象とした場合に本発明による工具吊り下げ用連結装置１を装着した状態の外観図である。
【００１８】
自在スパナＴは、基体となる部分ＴＡとネジＴＢの回転に連動して摺動可能な締め付け部分ＴＣとを備えており、ネジＴＢの設置部分ＴＡ１にはネジＴＢを回転させるための隙間Ｇが存在している。
【００１９】
一方、本発明による工具吊り下げ用連結装置１は、図１および図２Ａに示すように、端部同士を合わせることで接合部１Ａ１を構成されている縒り線を用いたループコード１Ａと、接合部１Ａ１をインサート成形されて固定支持する止め球１Ｂとで構成されている。
【００２０】
図２Ａにおいて、ループコード１Ａは、ステンレス等の金属線を束にした縒り線が用いられ、縒り線の端部同士を合わせられて接合部１Ａ１が構成されている。
この接合は、ループコード１Ａの端部を揃えて周知の接合技術（半田，溶接）で、肥大化または異形化して接合して接合固定塊１Ａ２を形成する。
図２Ｂに接合固定塊の例を示す、この接合固定塊１Ａ２は接合に関連して必然的に発生する変形であるが、インサート部分の抜け止めのために不可欠な形状を提供している。
接合部１Ａ１（図２Ａ）または接合固定塊１Ａ２を図示した接合部は、インサート成形により止め球１Ｂ内の中心位置に装填された状態で、縒り線よりも大径の止め球１Ｂと一体化されている。インサート成形は、金型内にインサート（接合された接合端）を挿入して樹脂を注入することにより、インサートが樹脂の止め玉に保持される。
【００２１】
止め球１Ｂは、接合部１Ａ１での縒り線の延長方向に平行する長手方向の軸線、いわゆる長軸方向を有する形状を有し、図２Ａにおいては樽型に形状化されている。この形状に関しては、長軸方向が接合部１Ａ１の延長方向に平行するものであれば良く、円柱形であっても良い。
【００２２】
止め球１Ｂから延長されてループ状になっているループコード１Ａは、止め球１Ｂの近傍において縒り線同士が互いに近接若しくは密着されている。このような構成とすることにより、縒り線同士が離れた場合と違って挿通される工具であるスパナＴに有する隙間Ｇにおいてループコード１Ａの密着部分を支点として用いることができる。これにより、スパナＴが回転しやすい状態とすることができる。また、縒り線同士が離れないことにより、スパナＴのネジＴＢを操作する複数のノブ間に縒り線が入り込んでネジの回転を阻害するような事態も防止できる。
【００２３】
止め球１Ｂの近傍、詳しくは、止め球１Ｂから外側に延長された部分の一部（図２Ａにおいて符号Ｌで示す範囲）では、ループコード１Ａの縒り線同士が近接若しくは密着するようにするために、縒り線同士を互いに近接あるいは密着する向きに癖付けを行ったり、あるいは、接着剤などを用いた手法が用いられる。
特に、縒り線同士が近接もしくは密着する部分は、スパナＴ等の工具に対するループコード１Ａの挿通部分に相当していることが工具を回転しやすくするうえで望ましいといえる。
【００２４】
本実施形態は以上のような構成により、止め球１Ｂに一体化されたループコード１Ａは、そのループ部分をスパナＴの隙間Ｇ内に挿入した後、例えば、作業者のベルトに装着されている掛け止め具２のフック部（図２Ａ参照）内に挿入することによって作業者側と工具であるスパナＴ側とを連結することができる。
ループコード１Ａは、図１に示すように、止め球１ＢがスパナＴの隙間Ｇに引っかかることによって抜け止めされることになる。
【００２５】
工具吊り下げ用連結装置１により吊り下げられているスパナＴが作業現場の周辺部に当たったりすると、衝撃を受けた方向にスパナＴが不用意に回転しようとする場合がある。
このような場合、本実施形態においては、止め球１Ｂから外側に延長されている部分の一部が縒り線同士を互いに近接若しくは密着させているので、その部分が支軸と同じ状態となり、図３に示すように、スパナＴを水平方向および垂直方向に回転しやすい状態を提供することになる。
これにより、スパナＴが衝撃を受けた方向に容易に回転していわゆる、作業者への反撥を大きくしないようにできるので、作業者にとってスパナＴからの反撥による衝撃の影響を受けにくくすることができる。
【００２６】
本実施形態においては、ループコード１Ａと止め球１Ｂのみの組み合わせにより作業者側と工具側とを連結することができるので、工具側への特別な加工や部品の追加などを要することがない。これにより、低コストの部品とすることができる。
【００２７】
一方、ループコード１Ａが不用意に広がるのを防止する構成としては、図２Ａにおいて符号３で示すように、樹脂製の撓み変形が可能なコイルワイヤを捲装することも可能である。なお、図２Ａでは、コイルワイヤ３が止め球１Ｂの近傍付近のみに捲装されている状態が示されているが、これに限らず、ループ部分のみを残した領域を捲装範囲とすることも可能である。
【図面の簡単な説明】
【００２８】
【図１】本発明による工具吊り下げ用連結装置の実装状態を示す外観図である。
【図２Ａ】本発明による工具吊り下げ用連結装置の構成を説明するための模式図である。
【図２Ｂ】本発明による工具吊り下げ用連結装置のループコードの接合端の接合固定塊を説明するための模式図である。
【図３】本発明による工具吊り下げ用連結装置の作用を説明するための図である。
【符号の説明】
【００２９】
１  工具吊り下げ用連結装置
１Ａ  ループコード
１Ａ１  接合部
１Ａ２  接合固定塊（抜け止め端）
１Ｂ  止め球
２  掛け止め具
Ｔ  スパナ
Ｇ  隙間
【図１】
0005329129.tif 000002
【図２Ａ】
0005329129.tif 000003
【図２Ｂ】
0005329129.tif 000004
【図３】
0005329129.tif 000005